(57)【要約】      （修正有）【課題】頭部ＣＴ検査時における放射線被曝線量を低減するとともに、眼球周辺の解剖構造の読影を可能とする。【解決手段】頭部ＣＴスキャンをうけるときに装着され放射線をシールドする頭部ＣＴ検査用ゴーグルであって、被験者の顔に当たるパッドと、ビスマスシートが表面に貼られているか、またはビスマスが含まれるカバーと、を備え、前記ビスマスシートまたはビスマスが含まれるカバーと、パッドの前記被験者の顔に当たる面との間の距離をｄ［ｍｍ］とし、前記ビスマスシートまたは前記ビスマスが含まれるカバーのビスマスの荷重［ｇ／ｃｍ2］をｇとした場合、ｄおよびｇは、少なくとも3≦3.463+0.03817×d-0.2749×g-0.000154×d2+0.00117×d×g+0.002361×g2を満たす。【選択図】図１
2019055193.tif 000002
【特許請求の範囲】
【請求項１】
頭部ＣＴスキャンをうけるときに装着され放射線をシールドする頭部ＣＴ検査用ゴーグルであって、
被験者の顔に当たるパッドと、
ビスマスシートが表面に貼られているか、またはビスマスが含まれるカバーと、
を備え、
前記ビスマスシートまたはビスマスが含まれるカバーと、パッドの前記被験者の顔に当たる面との間の距離をｄ［ｍｍ］とし、前記ビスマスシートまたは前記ビスマスが含まれるカバーのビスマスの荷重［ｇ／ｃｍ2］をｇとした場合、ｄおよびｇは、少なくとも
3 ≦ 3.463 + 0.03817×d -0.2749×g -0.000154×d2 + 0.00117×d×g +  0.002361×g2
を満たす頭部ＣＴ検査用ゴーグル。
【請求項２】
前記ビスマスシートまたは前記ビスマスが含まれるカバーのビスマスの荷重が３．４ｇ／ｃｍ2の場合、前記ビスマスシートまたはビスマスが含まれるカバーと、パッドの前記被験者の顔に当たる面との間の距離は、少なくとも１５ｍｍ以上である
請求項１に記載の頭部ＣＴ検査用ゴーグル。
【請求項３】
（ｄ，ｇ）座標が、
5 ＝ 3.463 + 0.03817×d -0.2749×g -0.000154×d2 + 0.00117×d×g +  0.002361×g2
の関数を表す曲線以上に位置する請求項１に記載の頭部ＣＴ検査用ゴーグル。
【請求項４】
前記ビスマスシートまたは前記ビスマスが含まれるカバーのビスマスの荷重が３．４ｇ／ｃｍ2の場合、前記ビスマスシートまたはビスマスが含まれるカバーと、パッドの前記被験者の顔に当たる面との間の距離は、３０ｍｍ以上である
請求項３に記載の頭部ＣＴ検査用ゴーグル。
【請求項５】
湾曲して前記カバーの内側に固定されており且つ当該頭部ＣＴ検査用ゴーグルの内側に向けて映像を表示可能なディスプレイを更に備え、
前記ディスプレイは、外部から入力された映像信号に基づいて、映像を表示する
請求項１から４のいずれか一項に記載の頭部ＣＴ検査用ゴーグル。
【請求項６】
前記被験者は、１５歳以下の小児であり、
前記ビスマスシートまたはビスマスが含まれるカバーの湾曲に沿った幅を弧長とした場合に、頭の横断面を楕円で近似したときの長径をa、短径をbとしたときのビスマスシートまたはビスマスが含まれるカバーの弦長dは、d=2×a×sin(t)でt=arctan((b/a)tan(θ))と表され、θは少なくとも０．６１ラジアン以上であり、対象とする前記被験者の生後からの日数をAgeとすると、a = 9.733×10-3×Age + 126.8、ｂ = 7.731×10-3×Age + 112.7で表される
請求項１から５のいずれか一項に記載の頭部ＣＴ検査用ゴーグル。
【請求項７】
請求項１から６のいずれか一項に記載の頭部ＣＴ検査用ゴーグルを装着している被験者に対して、頭部ＣＴスキャンを実行する工程を有する
頭部ＣＴ検査方法。
【請求項８】
請求項５に記載の頭部ＣＴ検査用ゴーグルを装着している被験者に対して、頭部ＣＴスキャンを実行するとともに、当該頭部ＣＴスキャン実行中に前記ディスプレイに映像を表示する工程を有する
頭部ＣＴ検査方法。
【発明の詳細な説明】
【技術分野】
【０００１】
本発明は、頭部ＣＴ検査用ゴーグル及び頭部ＣＴ検査方法に関する。
【背景技術】
【０００２】
頭部外傷や頭痛などの際に、必要に応じて頭部ＣＴ検査が行われるが、頭部ＣＴ検査ではＸ線を用いるため放射線被曝を伴う。ＣＴは単純Ｘ線写真に比べて大きな放射線被曝線量となることが問題であり、頭部ＣＴでは水晶体被曝に続発して白内障が発生するといった確定的影響と腫瘍や遺伝的影響を発生するといった確率的影響とがある。特に小児では放射線感受性が成人より高いことが知られており、ＣＴを含む放射線被曝を伴う検査においては可能な限り線量を少なくする必要がある。
【０００３】
ビスマスには放射線の遮蔽効果があり、各臓器の被曝線量を低減できることが報告されている。例えば、ＣＴ撮影時におけるビスマスシートを用いた放射線被曝線量低減の報告がされている（非特許文献１参照）。
【先行技術文献】
【非特許文献】
【０００４】
【非特許文献１】Wang J et al, "Bismuth Shielding, Organ-based Tube Current Modulation, and Global Reduction of Tube Current for Dose Reduction to the Eye atHead CT", Radiology 2012, 262, 191-198
【発明の概要】
【発明が解決しようとする課題】
【０００５】
しかしながら、実際の日常診察ではビスマスシートは普及していない。それは直接体表にビスマスシートを装着することによる眼球周辺の解剖構造（例えば眼窩部周囲）へのアーチファクトによる描出不良が起こり、眼球周辺の解剖構造（例えば眼窩部周囲）の読影が不可能になること、及びビスマスシートが高価なのにも関わらず、使い捨てであるということなどが原因にあった。
【０００６】
本発明は、上記問題に鑑みてなされたものであり、頭部ＣＴ検査時における放射線被曝線量を低減するとともに、眼球周辺の解剖構造の読影を可能とする頭部ＣＴ検査用ゴーグル及び頭部ＣＴ検査方法を提供することを目的とする。
【課題を解決するための手段】
【０００７】
本発明の第１の態様に係る頭部ＣＴ検査用ゴーグルは、頭部ＣＴスキャンをうけるときに装着され放射線をシールドする頭部ＣＴ検査用ゴーグルであって、被験者の顔に当たるパッドと、ビスマスシートが表面に貼られているか、またはビスマスが含まれるカバーと、を備え、前記ビスマスシートまたはビスマスが含まれるカバーと、パッドの前記被験者の顔に当たる面との間の距離をｄ［ｍｍ］とし、前記ビスマスシートまたは前記ビスマスが含まれるカバーのビスマスの荷重［ｇ／ｃｍ2］をｇとした場合、ｄおよびｇは、少なくとも
3 ≦ 3.463 + 0.03817×d -0.2749×g -0.000154×d2 + 0.00117×d×g +  0.002361×g2
を満たす。
【０００８】
この構成によれば、眼球周辺の解剖構造（例えば眼窩部周囲）にアーチファクトによる描出不良が起きたとしても、眼球周辺の解剖構造（例えば眼窩部周囲）の読影が可能である。このように、頭部ＣＴ検査時における頭部（例えば水晶体）への放射線被曝線量を低減するとともに、眼球周辺の解剖構造の読影が可能となる。また、直接体表にビスマスシートを装着しないために衛生面の観点から再利用が可能となるという利点がある。更に、直接体表にビスマスシートを装着する場合は、頭部を少し横に振るだけで、体表から落ちてしまうリスクがあるが、ゴーグルを用いることで安定性が保たれ、体表から落ちてしまうリスクを軽減することができる。
【０００９】
本発明の第２の態様に係る頭部ＣＴ検査用ゴーグルは、第１の態様に係る頭部ＣＴ検査用ゴーグルであって、前記ビスマスシートまたは前記ビスマスが含まれるカバーのビスマスの荷重が３．４ｇ／ｃｍ2の場合、前記ビスマスシートまたはビスマスが含まれるカバーと、パッドの前記被験者の顔に当たる面との間の距離は、少なくとも１５ｍｍ以上である。
【００１０】
この構成によれば、眼球周辺の解剖構造（例えば眼窩部周囲）にアーチファクトによる描出不良が起きたとしても、眼球周辺の解剖構造（例えば眼窩部周囲）の読影が可能である。このように、頭部ＣＴ検査時における頭部（例えば水晶体）への放射線被曝線量を低減するとともに、眼球周辺の解剖構造の読影が可能となる。また、直接体表にビスマスシートを装着しないために衛生面の観点から再利用が可能となるという利点がある。更に、直接体表にビスマスシートを装着する場合は、頭部を少し横に振るだけで、体表から落ちてしまうリスクがあるが、ゴーグルを用いることで安定性が保たれ、体表から落ちてしまうリスクを軽減することができる。
【００１１】
本発明の第３の態様に係る頭部ＣＴ検査用ゴーグルは、第１の態様に係る頭部ＣＴ検査用ゴーグルであって、（ｄ，ｇ）座標が、
5 = 3.463 + 0.03817×d -0.2749×g -0.000154×d2 + 0.00117×d×g +  0.002361×g2
の関数を表す曲線以上に位置する。
【００１２】
この構成によれば、眼球周辺の解剖構造（例えば眼窩部周囲）にアーチファクトが生じないので、アーチファクトによる描出不良が起きず、眼球周辺の解剖構造（例えば眼窩部周囲）の読影に支障を与えない。このように、頭部ＣＴ検査時における頭部（例えば水晶体）への放射線被曝線量を低減するとともに、眼球周辺の解剖構造の読影が可能となる。
【００１３】
本発明の第４の態様に係る頭部ＣＴ検査用ゴーグルは、第３の態様に係る頭部ＣＴ検査用ゴーグルであって、前記ビスマスシートまたは前記ビスマスが含まれるカバーのビスマスの荷重が３．４ｇ／ｃｍ2の場合、前記ビスマスシートまたはビスマスが含まれるカバーと、パッドの前記被験者の顔に当たる面との間の距離は、３０ｍｍ以上である。
【００１４】
この構成によれば、眼球周辺の解剖構造（例えば眼窩部周囲）にアーチファクトが生じないので、アーチファクトによる描出不良が起きず、眼球周辺の解剖構造（例えば眼窩部周囲）の読影に支障を与えない。このように、頭部ＣＴ検査時における頭部（例えば水晶体）への放射線被曝線量を低減するとともに、眼球周辺の解剖構造の読影が可能となる。
【００１５】
本発明の第５の態様に係る頭部ＣＴ検査用ゴーグルは、第１から４のいずれかの態様に係る頭部ＣＴ検査用ゴーグルであって、湾曲して前記カバーの内側に固定されており且つ当該頭部ＣＴ検査用ゴーグルの内側に向けて映像を表示可能なディスプレイを更に備え、前記ディスプレイは、外部から入力された映像信号に基づいて、映像を表示する。
【００１６】
この構成によれば、頭部ＣＴ検査中に、映像（例えば、アニメなどの映像）を表示することができるので、頭部ＣＴ検査中の被験者（例えば、１５歳以下の小児）が動くのを抑制することができる。
【００１７】
本発明の第６の態様に係る頭部ＣＴ検査用ゴーグルは、第１から５のいずれかの態様に係る頭部ＣＴ検査用ゴーグルであって、前記被験者は、１５歳以下の小児であり、前記ビスマスシートまたはビスマスが含まれるカバーの湾曲に沿った幅を弧長とした場合に、頭の横断面を楕円で近似したときの長径をa、短径をbとしたときのビスマスシートまたはビスマスが含まれるカバーの弦長dは、d=2×a×sin(t)でt=arctan((b/a)tan(θ))と表され、θは少なくとも０．６１ラジアン以上であり、対象とする前記被験者の生後からの日数をAgeとすると、a = 9.733×10-3×Age + 126.8、ｂ = 7.731×10-3×Age + 112.7で表される。
【００１８】
この構成によれば、水晶体をビスマスシートまたはビスマスが含まれるカバーで遮蔽することができるので、水晶体に入射するＸ線の被曝量を低減することができる。
【００１９】
本発明の第７の態様に係る頭部ＣＴ検査方法は、第１から６のいずれかの態様に係る頭部ＣＴ検査用ゴーグルを装着している被験者に対して、頭部ＣＴスキャンを実行する工程を有する。
【００２０】
この構成によれば、頭部ＣＴ検査時における頭部（例えば水晶体）への放射線被曝線量を低減するとともに、眼球周辺の解剖構造の読影が可能となる。
【００２１】
本発明の第８の態様に係る頭部ＣＴ検査方法は、第５の態様に係る頭部ＣＴ検査用ゴーグルを装着している被験者に対して、頭部ＣＴスキャンを実行するとともに、当該頭部ＣＴスキャン実行中に前記ディスプレイに映像を表示する工程を有する。
【００２２】
この構成によれば、頭部ＣＴ検査中に、映像（例えば、アニメなどの映像）を表示することができるので、頭部ＣＴ検査中の被験者（例えば、１５歳以下の小児）が動くのを抑制することができる。
【発明の効果】
【００２３】
本発明によれば、眼球周辺の解剖構造（例えば眼窩部周囲）にアーチファクトによる描出不良を抑えることができ、眼球周辺の解剖構造（例えば眼窩部周囲）の読影が可能である。このように、頭部ＣＴ検査時における頭部（例えば水晶体）への放射線被曝線量を低減するとともに、眼球周辺の解剖構造の読影が可能となる。また、直接体表にビスマスシートを装着しないために衛生面の観点から再利用が可能となるという利点がある。更に、直接体表にビスマスシートを装着する場合は、頭部を少し横に振ったりするだけで、体表から落ちてしまうリスクがあるが、ゴーグルを用いることで安定性が保たれ、体表から落ちてしまうリスクを軽減することができる。
【図面の簡単な説明】
【００２４】
【図１】本実施形態に係る頭部ＣＴ検査用ゴーグルの斜視図である。
【図２】頭部ＣＴ検査用ゴーグルを内側からみた斜視図である。
【図３】顔面正中から水晶体外縁までの角度、及び顔面正中から眼窩外壁までの角度を説明する模式図である。
【図４】年齢毎の面正中から水晶体外縁までの角度及び顔面正中から眼窩外壁までの角度を表す表である。
【図５】ファントムを用いたビスマスシールドによる実験の模式図である。
【図６】ビスマスシートの遮蔽効果を示す表である。
【図７】被曝線量と低減率を示す表である。
【図８】ビスマスシートの頭部ＣＴ画像への影響を比較した図である。
【図９】ビスマスシートとパッドの被験者の顔に当たる面（被験者の体表）との間の距離を変えたときの頭部ＣＴ画像の比較である。
【図１０】３人の放射線診断専門医による頭部ＣＴ画像の視覚評価の平均点とビスマス距離との比較である。
【図１１】ビスマス距離と被曝低減量との関係、及びビスマス距離と３人の放射線診断専門医の視覚評価の平均点との関係を示すグラフである。
【図１２】ビスマス距離が０ｍｍにおいて、ビスマスシートの厚さが１ｍｍ、２ｍｍ、３ｍｍ、４ｍｍ、５ｍｍの場合及びビスマスシートがない場合の、ファントムのＣＴ画像である。
【図１３】ビスマス距離が２０ｍｍにおいて、ビスマスシートの厚さが１ｍｍ、２ｍｍ、３ｍｍ、４ｍｍ、５ｍｍの場合及びビスマスシートがない場合の、ファントムのＣＴ画像である。
【図１４】ビスマス距離が４０ｍｍにおいて、ビスマスシートの厚さが１ｍｍ、２ｍｍ、３ｍｍ、４ｍｍ、５ｍｍの場合及びビスマスシートがない場合の、ファントムのＣＴ画像である。
【図１５】ビスマス距離とビスマスシートの枚数と３人の放射線診断専門医の視覚評価の平均点の結果を示す表である。
【図１６】図１５の表のデータと近似式（１）を表すグラフである。
【図１７】スコア毎に、ビスマスの荷重とビスマス距離との関係を示すグラフである。
【図１８】ビスマスなどの放射線遮蔽物との距離が０ｍｍにおけるファントムのＣＴ画像の比較である。
【図１９】ビスマスなどの放射線遮蔽物との距離が１０ｍｍにおけるファントムのＣＴ画像の比較である。
【図２０】ビスマスなどの放射線遮蔽物との距離が２０ｍｍにおけるファントムのＣＴ画像の比較である。
【図２１】ビスマスなどの放射線遮蔽物との距離が３０ｍｍにおけるファントムのＣＴ画像の比較である。
【図２２】ビスマスなどの放射線遮蔽物との距離と３人の放射線診断専門医の視覚評価の平均点との関係を示すグラフである。
【図２３】ビスマスなどの放射線遮蔽物との距離と被曝低減量との関係、及びビスマス距離と３人の放射線診断専門医の視覚評価の平均点との関係を示すグラフである。
【図２４】頭の横断面を楕円で近似したときの模式図と頭部ＣＴ検査用ゴーグルの横断面の概略図である。
【発明を実施するための形態】
【００２５】
以下、各実施形態について、図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２６】
＜構成＞
図１を用いて、本実施形態に係る頭部ＣＴ検査用ゴーグルの構成について説明する。本実施形態に係る頭部ＣＴ検査用ゴーグルは、頭部ＣＴスキャンを施行されるときに装着され放射線をシールドする頭部ＣＴ検査用ゴーグルである。図１は、本実施形態に係る頭部ＣＴ検査用ゴーグルの斜視図である。図１に示すように、頭部ＣＴ検査用ゴーグル１は、被験者の顔に当たるパッド１１と、バッドが固定されているフレーム１２と、ビスマスシートが表面に貼られているカバー１３とを備える。カバー１３は例えば、レンズである。なお、カバー１３は、ビスマスシートが表面に貼られているものに限らず、ビスマスが素材として含まれるカバーであってもよい。頭部ＣＴ検査用ゴーグル１は、フレーム１２に連結しているバンド１４を備える。バンド１４は、頭部ＣＴ検査用ゴーグル１を頭部に固定するためのものである。
【００２７】
頭部ＣＴ検査用ゴーグル１は、ビスマスシートまたはビスマスが含まれるカバー１３と、パッド１１の被験者の顔に当たる面との間の距離は、少なくとも１５ｍｍ以上であることが好ましい。この構成により、後述する実験結果に示すように、眼球周辺の解剖構造（例えば眼窩部周囲）にアーチファクトによる描出不良を抑えることができ、眼球周辺の解剖構造（例えば眼窩部周囲）の読影が可能である。このように、頭部ＣＴ検査時における頭部（例えば水晶体）への放射線被曝線量を低減するとともに、眼球周辺の解剖構造の読影が可能となる。
【００２８】
また、直接体表にビスマスシートを装着しないために衛生面の観点から再利用が可能となるという利点がある。更に、直接体表にビスマスシートを装着する場合は、頭部を少し横に振るだけで、体表から落ちてしまうリスクがあるが、ゴーグルを用いることで安定性が保たれ、体表から落ちてしまうリスクを軽減することができる。
【００２９】
ビスマスシートまたはビスマスが含まれるカバーと、パッドの前記被験者の顔に当たる面との間の距離は、３０ｍｍ以上であることがより好ましい。この構成により、後述する実験結果に示すように、眼球周辺の解剖構造（例えば眼窩部周囲）にアーチファクトが生じないので、アーチファクトによる描出不良が起きず、眼球周辺の解剖構造（例えば眼窩部周囲）の読影に支障を与えない。このように、頭部ＣＴ検査時における頭部（例えば水晶体）への放射線被曝線量を低減するとともに、眼球周辺の解剖構造の読影が可能となる。
【００３０】
図２は、頭部ＣＴ検査用ゴーグルを内側からみた斜視図である。図２に示すように頭部ＣＴ検査用ゴーグル１は、湾曲してカバー１３の内側に固定されており且つ当該頭部ＣＴ検査用ゴーグル１の内側に向けて映像を表示可能なディスプレイ１５、外部からディスプレイ１５へ映像信号を伝送するための信号線１６を更に備える。ディスプレイ１５は、外部から信号線１６を介して入力された映像信号に基づいて、映像を表示する。この構成により、頭部ＣＴ検査中に、映像（例えば、アニメなどの映像）を表示することができるので、頭部ＣＴ検査中の被験者（例えば、１５歳以下の小児）が動くのを抑制することができる。
【００３１】
本実施形態に係る頭部ＣＴ検査方法は、頭部ＣＴ検査用ゴーグル１を装着している被験者に対して、頭部ＣＴスキャンを実行する工程を有する。この構成により、頭部ＣＴ検査時における頭部（例えば水晶体）への放射線被曝線量を低減するとともに、眼球周辺の解剖構造の読影が可能となる。
【００３２】
また、本実施形態に係る頭部ＣＴ検査方法は、頭部ＣＴ検査用ゴーグル１を装着している被験者に対して、頭部ＣＴスキャンを実行するとともに、当該頭部ＣＴスキャン実行中にディスプレイ１５に映像を表示する工程を有してもよい。この構成により、頭部ＣＴ検査中に、映像（例えば、アニメなどの映像）を表示することができるので、頭部ＣＴ検査中の被験者（例えば、１５歳以下の小児）が動くのを抑制することができる。
【００３３】
図３は、顔面正中から水晶体外縁までの角度、及び顔面正中から眼窩外壁までの角度を説明する模式図である。図３には水晶体ＣＬが示されている。図３に示すように、αが顔面正中から水晶体外縁までの角度であり、βが顔面正中から眼窩外壁までの角度である。
【００３４】
図４は、年齢毎の面正中から水晶体外縁までの角度及び顔面正中から眼窩外壁までの角度を表す表である。図４の表は、１５歳までの小児において顔面正中から水晶体外縁までの角度及び顔面正中から眼窩外壁までの角度を過去の頭部ＣＴ結果を１歳毎に１０例づつ計測し、平均を算出したものである。図４の表では、各角度の平均と標準偏差が示されている。
【００３５】
図４に示すように、１５歳までの小児において、水晶体外縁は顔面正中から３５度までに位置する。このことから、被験者が１５歳以下の小児の場合、本実施形態に係るビスマスシートまたはビスマスが含まれるカバーは、被験者の正中線を基準として少なくとも左右３５度以上に広がっていることが好ましい。すなわち、被験者が１５歳以下の小児の場合、本実施形態に係るビスマスシートまたはビスマスが含まれるカバーは、被験者の正中線を基準として少なくとも左右３５度以上に広がるように構成されていることが好ましい。この構成により、水晶体をビスマスシートまたはビスマスが含まれるカバーで遮蔽することができるので、水晶体に入射するＸ線の被曝量を低減することができる。
【００３６】
図４に示すように、１５歳までの小児において、眼窩外壁は顔面正中から４５度までに位置する。このことから、被験者が１５歳以下の小児の場合、本実施形態に係るビスマスシートまたはビスマスが含まれるカバーは、被験者の正中線を基準として少なくとも左右４５度以上に広がっていることがより好ましい。すなわち、被験者が１５歳以下の小児の場合、本実施形態に係るビスマスシートまたはビスマスが含まれるカバーは、被験者の正中線を基準として少なくとも左右４５度以上に広がるように構成されていることがより好ましい。この構成により、目全体をビスマスシートまたはビスマスが含まれるカバーで遮蔽することができるので、目全体に入射するＸ線の被曝量を低減することができる。
【実施例】
【００３７】
＜使用機器＞
ＣＴ装置は、Revolution CT（GE Healthcare）で、CTDIファントムは１６ｃｍである。10X6-3CT型CTDI用チャンバにおいて、ACCU-GOLD+コンパクトX線アナライザ（Radical社）を用いて、吸収線量を検出した。
【００３８】
図５は、ファントムを用いたビスマスシールドによる実験の模式図である。図５に示すように、ＣＴＤＩ用電離箱の挿入穴を垂直（測定位置角度０度）に設置した。以後、ファントム上に５ｍｍ厚のウレタンフォームを乗せ、その上にビスマスシートを配置することによって、ファントム表面からビスマスシートを０〜５０ｍｍ離した状態における線量を測定した。
【００３９】
線量測定は，ファントム表面からの深さ１０ｍｍ、４０ｍｍ、８０ｍｍの３点について、ファントム表面からビスマスシートまでの距離（以下、ビスマス距離ともいう）を０〜５０ｍｍ離した状態において行った。各５回測定で実施し、照射条件は小児頭部ＣＴ撮影を想定し下記のようにした。
【００４０】
＜照射条件＞
検出器'（Detector）のサイズは0.625mmで列数が224で、チューブ電圧（Tube Voltage）が120kVで、チューブ電流（Tube Current）が250 mAで、回転（Rotation）が0.5秒である。
【００４１】
図６は、ビスマスシートの遮蔽効果を示す表である。図６は、図５に示す実験系において、電離箱位置を、顔面正中を０度として、４０度、９０度に設置したときの吸収線量をビスマスシートがない場合、覆う範囲が狭いビスマスシートがある場合、覆う範囲が広いビスマスシートがある場合でそれぞれ計測した結果である。ファントム表面からの深さはいずれも１０ｍｍである。図６に示すように、角度が小さくなるほど、すなわちビスマスシートの中央に位置するほど、ビスマスシートによる放射線の遮蔽効果が高い。また、ビスマスシートの覆う範囲が広いほど、放射線の遮蔽効果が高い。
【００４２】
図７は、被曝線量と低減率を示す表である。線量は５回測定の平均である。図７に示すように、各測定位置においてビスマスシートを留置することで、線量が低減している。また、ファントム表面からビスマスシートまでの距離が大きくなるほど低減率が小さくなる。
【００４３】
図８は、ビスマスシートの頭部ＣＴ画像への影響を比較した図である。図８ａはビスマスシートがない場合の頭部ＣＴ画像であり、図８ｂは、ゴーグルをつけずに大きなビスマスシートを体表に直接おいた場合の頭部ＣＴ画像である。図８ｃは、ゴーグルをつけずに小さなビスマスシートを体表に直接おいた場合の頭部ＣＴ画像である。図８ｂ及び図８ｃでは、ビスマスシート周囲の体表(主に眼窩部)の表面がハレーションを生じて白くなるアーチファクトがある。
【００４４】
図８ｄは、ビスマスシートが大きい場合における本実施形態に係るゴーグルを被験者が装着した場合の頭部ＣＴ画像である。図８ｅは、ビスマスシートが小さい場合における本実施形態に係るゴーグルを被験者が装着した場合の頭部ＣＴ画像である。図８ｄ、８ｅにおけるビスマスシートがパッドの被験者の顔に当たる面（被験者の体表）との間の距離は、２５ｍｍである。図８ｄ、８ｅにおいて、図８ｂ、８ｃよりもそれぞれ体表の表面がハレーションを生じて白くなるアーチファクトが低減されている。
【００４５】
図８ｆは、ビスマスシートが小さい場合において、ビスマスシートがパッドの被験者の顔に当たる面（被験者の体表）との間の距離が３５ｍｍであるように構成された本実施形態に係るゴーグルを、装着した場合の頭部ＣＴ画像である。図８ｆは、アーチファクトが生じない頭部ＣＴ画像を表示するために、比較のために示されている。図８ｄ、８ｅにおいて、図８ｆよりも体表の表面が白くなるアーチファクトが若干観測されており、図８ｄではビスマスシートが図８ｅよりも大きいので、図８ｄでは図８ｅよりもアーチファクトがやや大きくなっている。
【００４６】
続いて、ファントム表面からビスマスシートまでの距離（以下、ビスマス距離ともいう）を０〜５０ｍｍまで５ｍｍ毎に変えた状態で、頭部ＣＴ画像を撮影し、３人の放射線診断専門医が頭部ＣＴ画像の視覚評価を行った。視覚評価は、５段階評価で得点が大きくなるほど評価が高い。得点１は「アーチファクトで眼窩部周囲の読影不可能(No visualization)」で、得点２は「アーチファクトで読影に大きく支障あり(poor visualization)」で、得点３は「アーチファクトはあるが、読影はなんとか可能(fair)」で、得点４は「アーチファクトはわずかにあるが、読影にほぼ支障はない(good)」で、得点５は「アーチファクトの影響は全くない(excellent)」である。
【００４７】
図９は、ビスマスシートとパッドの被験者の顔に当たる面（被験者の体表）との間の距離を変えたときの頭部ＣＴ画像の比較である。なお、０ｍｍはビスマスシートを被験者の体表に直接おいた場合である。図９に示すように、ビスマスシートとパッドの被験者の顔に当たる面（被験者の体表）との間の距離が０ｍｍの場合には、体表の表面がハレーションを生じて白くなるアーチファクトが表れている。当該距離が１０ｍｍの場合、０ｍｍの場合よりもアーチファクトが少なくなる。当該距離が２０ｍｍの場合、１０ｍｍの場合よりもアーチファクトが更に少なくなる。当該距離が３０ｍｍの場合、アーチファクトが生じない。
【００４８】
図１０は、３人の放射線診断専門医による頭部ＣＴ画像の視覚評価の平均点とビスマス距離との比較である。図１０に示すように、「アーチファクトはあるが、読影はなんとか可能(fair)」である得点３を３人の放射線診断専門医の平均点が初めて超えるビスマス距離が１５ｍｍである。よって、ビスマスシートまたはビスマスが含まれるカバーと、パッドの被験者の顔に当たる面との間の距離は、少なくとも１５ｍｍ以上であることが好ましい。眼球周辺の解剖構造（例えば眼窩部周囲）にアーチファクトによる描出不良が起きたとしても、眼球周辺の解剖構造（例えば眼窩部周囲）の読影が可能である。このように、頭部ＣＴ検査時における頭部（例えば水晶体）への放射線被曝線量を低減するとともに、眼球周辺の解剖構造の読影が可能となる。
また、「アーチファクトはわずかにあるが、読影にほぼ支障ない (good)」である得点４を３人の放射線診断専門医の平均点が初めて超えるビスマス距離が２０ｍｍである。よって、ビスマスシートまたはビスマスが含まれるカバーと、パッドの被験者の顔に当たる面との間の距離は、２０ｍｍ以上であることがより好ましい。
【００４９】
図１０に示すように、３人の放射線診断専門医の平均点が「アーチファクトの影響は全くない(excellent)」である得点５になるのはビスマス距離が３０ｍｍ以上である。よって、ビスマスシートまたはビスマスが含まれるカバーと、パッドの被験者の顔に当たる面との間の距離は、３０ｍｍ以上であることが更により好ましい。眼球周辺の解剖構造（例えば眼窩部周囲）にアーチファクトが生じないので、アーチファクトによる描出不良が起きず、眼球周辺の解剖構造（例えば眼窩部周囲）の読影に支障を与えない。このように、頭部ＣＴ検査時における頭部（例えば水晶体）への放射線被曝線量を低減するとともに、眼球周辺の解剖構造の読影が可能となる。
【００５０】
上記の実施形態では、一例として、ビスマスの荷重が３．４ｇ／ｃｍ2で厚みが１ｍｍのビスマスシートの場合についての説明である。なお、ビスマスが含まれるカバーにおいて、ビスマスの荷重が３．４ｇ／ｃｍ2の場合も同様の結果が得られるので、ビスマスが含まれるカバーの荷重が３．４ｇ／ｃｍ2であってもよい。以降の説明についても同様に、一例として、ビスマスシートは厚みが１ｍｍでビスマスの荷重が３．４ｇ／ｃｍ2であるものとして説明する。
【００５１】
次に、図１１を用いて、ビスマスの荷重が３．４ｇ／ｃｍ2のビスマスシート（厚さ１ｍｍ）が１枚の場合、２枚重ねた場合、３枚重ねた場合について、ビスマス距離と被曝低減量との関係、及びビスマス距離と３人の放射線診断専門医の視覚評価の平均点との関係について説明する。
【００５２】
図１１は、ビスマス距離と被曝低減量との関係、及びビスマス距離と３人の放射線診断専門医の視覚評価の平均点との関係を示すグラフである。図１１において、折れ線Ｌ１はビスマスシート１枚の場合の被曝低減量を表し、折れ線Ｌ２はビスマスシート２枚の場合の被曝低減量を表し、折れ線Ｌ３はビスマスシート３枚の場合の被曝低減量を表す。同じビスマス距離において、ビスマスシートの枚数が多くなるほど、被曝低減量が向上する。
【００５３】
図１１において、折れ線Ｌ４はビスマスシート１枚の場合の放射線診断専門医の視覚評価の平均点を表し、折れ線Ｌ５はビスマスシート２枚の場合の放射線診断専門医の視覚評価の平均点を表し、折れ線Ｌ６はビスマスシート３枚の場合の放射線診断専門医の視覚評価の平均点を表す。同じビスマス距離において、ビスマスシートの枚数が多くなるほど、放射線診断専門医の視覚評価の平均点が下がる傾向にある。
【００５４】
なお、ビスマスの荷重が３．４ｇ／ｃｍ2の厚さ１ｍｍのビスマスシートを２枚重ねた場合とは、厚さが同じ１ｍｍのビスマスシートで、ビスマスの荷重が６．８ｇ／ｃｍ2のビスマスシート１枚と同じ被曝低減効果があり、同じ放射線診断専門医の視覚評価の平均点が得られる。ビスマスの荷重が３．４ｇ／ｃｍ2の厚さ１ｍｍのビスマスシートを３枚重ねた場合とは、厚さが同じ１ｍｍのビスマスシートで、ビスマスの荷重が１０．２ｇ／ｃｍ2のビスマスシート１枚と同じ被曝低減効果があり、同じ放射線診断専門医の視覚評価の平均点が得られる。
【００５５】
よって、ビスマスの荷重が６．８ｇ／ｃｍ2という場合には、ビスマスシートが１ｃｍ2あたり６．８ｇ得られていればよく、１枚のビスマスシートで１ｃｍ2あたり６．８ｇの場合も、複数枚のビスマスシートで１ｃｍ2あたり６．８ｇの場合も含まれる。すなわち、ビスマスの荷重がＸｇ／ｃｍ2という場合には、ビスマスシートの平面内の１ｃｍ2あたり厚さ方向にＸｇのビスマスが含まれるものとして、以下説明する。
【００５６】
図１２〜図１４を用いて、ビスマス距離が０ｍｍ、２０ｍｍ、４０ｍｍにおいて、ビスマスシートの厚さが１ｍｍ、２ｍｍ、３ｍｍ、４ｍｍ、５ｍｍの場合及びビスマスシートがない場合の、ファントムのＣＴ画像について比較する。なお、ここでは一例として、厚さが１ｍｍのビスマスシートは、ビスマスの荷重が３．４ｇ／ｃｍ2のビスマスシート（厚み１ｍｍ）が１枚の場合であり、厚さが２ｍｍのビスマスシートは、この厚みが１ｍｍのビスマスシートを２枚重ねたものであり、厚さが３ｍｍのビスマスシートは、この厚みが１ｍｍのビスマスシートを３枚重ねたものであり、厚さが４ｍｍのビスマスシートは、この厚みが１ｍｍのビスマスシートを４枚重ねたものであり、厚さが５ｍｍのビスマスシートは、この厚みが１ｍｍのビスマスシートを５枚重ねたものである。
【００５７】
図１２は、ビスマス距離が０ｍｍにおいて、ビスマスシートの厚さが１ｍｍ、２ｍｍ、３ｍｍ、４ｍｍ、５ｍｍの場合及びビスマスシートがない場合の、ファントムのＣＴ画像である。図１３は、ビスマス距離が２０ｍｍにおいて、ビスマスシートの厚さが１ｍｍ、２ｍｍ、３ｍｍ、４ｍｍ、５ｍｍの場合及びビスマスシートがない場合の、ファントムのＣＴ画像である。図１４は、ビスマス距離が４０ｍｍにおいて、ビスマスシートの厚さが１ｍｍ、２ｍｍ、３ｍｍ、４ｍｍ、５ｍｍの場合及びビスマスシートがない場合の、ファントムのＣＴ画像である。
【００５８】
図１２（Ａ）、図１３（Ａ）、図１４（Ａ）は、ビスマスシートの厚さが１ｍｍであり、図１２（Ｂ）、図１３（Ｂ）、図１４（Ｂ）は、ビスマスシートの厚さが２ｍｍであり、図１２（Ｃ）、図１３（Ｃ）、図１４（Ｃ）は、ビスマスシートの厚さが３ｍｍであり、図１２（Ｄ）、図１３（Ｄ）、図１４（Ｄ）は、ビスマスシートの厚さが４ｍｍであり、図１２（Ｅ）、図１３（Ｅ）、図１４（Ｅ）は、ビスマスシートの厚さが５ｍｍであり、図１２（Ｆ）、図１３（Ｆ）、図１４（Ｆ）は、ビスマスシートがない場合である。
【００５９】
ビスマス距離が０ｍｍの場合の図１２（Ａ）〜（Ｆ）を比較すると、ビスマスシートがあるといずれもＣＴ画像内にビスマスシートによるアーチファクトができており、ビスマスシートの厚みが大きくなるに従って、ＣＴ画像内のビスマスシートによるアーチファクトが大きくなっている。
【００６０】
ビスマス距離が２０ｍｍの場合の図１３（Ａ）〜（Ｆ）を比較すると、ビスマスシートの厚みが１ｍｍの場合、ＣＴ画像内にビスマスシートによるアーチファクトがほとんどないが、ビスマスシートの厚みが２ｍｍ以上の場合、ビスマスシートの厚みが大きくなるに従って、ＣＴ画像内のビスマスシートによるアーチファクトが大きくなっている。
【００６１】
ビスマス距離が４０ｍｍの場合の図１４（Ａ）〜（Ｆ）を比較すると、ビスマスシートの厚みが１ｍｍの場合、ＣＴ画像内にビスマスシートによるアーチファクトがないが、ビスマスシートの厚みが２ｍｍ以上の場合、ビスマスシートの厚みが大きくなるに従って、ＣＴ画像内のビスマスシートによるアーチファクトが大きくなっている。
【００６２】
続いて、図１２〜図１４などのファントムのＣＴ画像を用いた３人の放射線診断専門医の視覚評価の平均点の結果について、図１５を用いて説明する。図１５は、ビスマス距離とビスマスシートの枚数と３人の放射線診断専門医の視覚評価の平均点の結果を示す表である。ビスマスシートの枚数は、ビスマスシートの厚みを表し、ビスマスシートが１〜５はそれぞれ厚み１〜５に対応する。
【００６３】
図１５において、ビスマスシート１〜５枚それぞれの場合に、ビスマス距離を０から５ｍｍずつ増やしたときに得られたファントムのＣＴ画像に対して、３人の放射線診断専門医の視覚評価した場合の平均点が表示されている。ここで、ビスマスシートが１枚の場合に、ビスマス距離が３０ｍｍ以上の場合、当該視覚評価の平均点は５である。同様に、ビスマスシートが２枚の場合に、ビスマス距離が６５ｍｍ以上の場合、当該視覚評価の平均点は５である。同様に、ビスマスシートが３枚の場合に、ビスマス距離が１１５ｍｍ以上の場合、当該視覚評価の平均点は５である。同様に、ビスマスシートが４枚の場合に、ビスマス距離が１４０ｍｍ以上の場合、当該視覚評価の平均点は５である。同様に、ビスマスシートが５枚の場合に、ビスマス距離が１６５ｍｍ以上の場合、当該視覚評価の平均点は５である。
【００６４】
ビスマスシートまたはビスマスが含まれるカバーと、パッドの被験者の顔に当たる面との間の距離をｄ［ｍｍ］とし、ビスマスの荷重［ｇ／ｃｍ２］をｇとし、当該視覚評価の平均点（以下、スコアともいう）をＳとする。
スコアＳは、ｇとｄを使って、
S = p00 + p10×d ＋ p01×g + p20×d2 + p11×d×g + p02×g2
で近似できる。図１５の表のデータを用いると、この近似式のパラメータは、以下のようになる。括弧の中身は９５％信頼区間である。
【００６５】
p00 =       3.463  (3.057, 3.87)
p10 =     0.03817  (0.03351, 0.04283)
p01 =     -0.2749  (-0.345, -0.2048)
p20 =   -0.000154  (-0.0001738, -0.0001342)
p11 =     0.00117  (0.0009518, 0.001387)
p02 =    0.002361  (-0.0008424, 0.005565)
【００６６】
よって、近似式は以下のように表される。
【００６７】
S = 3.463 + 0.03817×d -0.2749×g -0.000154×d2 + 0.00117×d×g +  0.002361×g2  （１）
【００６８】
図１６は、図１５の表のデータと近似式（１）を表すグラフである。図１５には、図１５の表のデータのプロットが示され、上記の近似式（１）が近似曲面として示されている。
【００６９】
図１７は、スコア毎に、ビスマスの荷重とビスマス距離との関係を示すグラフである。図１７において、曲線Ｃ１は、スコアが３．５のときのビスマスの荷重とビスマス距離との関係を示す曲線である。同様に曲線Ｃ２は、スコアが４．０のときのビスマスの荷重とビスマス距離との関係を示す曲線である。同様に曲線Ｃ３は、スコアが４．５のときのビスマスの荷重とビスマス距離との関係を示す曲線である。同様に曲線Ｃ４は、スコアが４．７のときのビスマスの荷重とビスマス距離との関係を示す曲線である。同様に曲線Ｃ５は、スコアが４．９のときのビスマスの荷重とビスマス距離との関係を示す曲線である。同様に曲線Ｃ６は、スコアが５．０になる臨界を示す曲線である。ビスマスの荷重とビスマス距離の組の座標、曲線Ｃ６より上の領域に位置する場合、スコアが５．０になる。
【００７０】
例えば、測定距離が３０ｍｍの場合、スコアが５になるには、ビスマスの荷重が１４ｇ／ｃｍ２以上である。
【００７１】
本実施形態に係る頭部ＣＴ検査用ゴーグルにおいて、ビスマスシートまたはビスマスが含まれるカバーと、パッドの被験者の顔に当たる面との間の距離を改めてｄとする。
読影するには少なくともスコア３以上必要であるから、スコアを３以上にするために、ｄおよびｇは、少なくとも
3 ≦ 3.463 + 0.03817×d -0.2749×g -0.000154×d2 + 0.00117×d×g +  0.002361×g2
を満たす。
【００７２】
この一例として、ビスマスシートまたはビスマスが含まれるカバーのビスマスの荷重が３．４ｇ／ｃｍ2の場合、ビスマスシートまたはビスマスが含まれるカバーと、パッドの被験者の顔に当たる面との間の距離は、少なくとも１５ｍｍ以上である。
【００７３】
アーチファクトの影響が全くないスコアが５の状態にするには、（ｄ，ｇ）座標が、
5 = 3.463 + 0.03817×d -0.2749×g -0.000154×d2 + 0.00117×d×g +  0.002361×g2
の関数を表す曲線以上に位置する。
【００７４】
この一例として、ビスマスシートまたはビスマスが含まれるカバーのビスマスの荷重が３．４ｇ／ｃｍ2の場合、ビスマスシートまたはビスマスが含まれるカバーと、パッドの被験者の顔に当たる面との間の距離は、３０ｍｍ以上である。
【００７５】
続いて、図１８〜図２１を用いて、ビスマスシート、多元素複合-含鉛シート、及び多元素複合-無鉛シートの場合に、ファントムのＣＴ画像について比較する。多元素には、例えば銅などの金属が含まれる。
【００７６】
図１８は、ビスマスなどの放射線遮蔽物との距離が０ｍｍにおけるファントムのＣＴ画像の比較である。図１９は、ビスマスなどの放射線遮蔽物との距離が１０ｍｍにおけるファントムのＣＴ画像の比較である。図２０は、ビスマスなどの放射線遮蔽物との距離が２０ｍｍにおけるファントムのＣＴ画像の比較である。図２１は、ビスマスなどの放射線遮蔽物との距離が３０ｍｍにおけるファントムのＣＴ画像の比較である。
【００７７】
図１８（Ａ）、図１９（Ａ）、図２０（Ａ）、図２１（Ａ）は、ビスマスシートの厚さが１ｍｍであり、図１８（Ｂ）、図１９（Ｂ）、図２０（Ｂ）、図２１（Ｂ）は、ビスマスシートの厚さが２ｍｍであり、図１８（Ｃ）、図１９（Ｃ）、図２０（Ｃ）、図２１（Ｃ）は、ビスマスシートの厚さが３ｍｍであある。図１８（Ｄ）、図１９（Ｄ）、図２０（Ｄ）、図２１（Ｄ）は、多元素複合-含鉛シート（厚さ０．４ｍｍ、鉛当量０．１３ｍｍＰｂ）である。図１８（Ｅ）、図１９（Ｅ）、図２０（Ｅ）、図２１（Ｅ）は、多元素複合−無鉛シート（厚さ０．４ｍｍ、鉛当量０．１３ｍｍＰｂ）である。図１８（Ｆ）、図１９（Ｆ）、図２０（Ｆ）、図２１（Ｆ）は、多元素複合−無鉛シート（厚さ０．８ｍｍ、鉛当量０．２５ｍｍＰｂ）である。
【００７８】
なお、ここでは一例として、厚さが１ｍｍのビスマスシートは、ビスマスの荷重が３．４ｇ／ｃｍ2のビスマスシート（厚み１ｍｍ）が１枚の場合であり、厚さが２ｍｍのビスマスシートは、この厚みが１ｍｍのビスマスシートを２枚重ねたものであり、厚さが３ｍｍのビスマスシートは、この厚みが１ｍｍのビスマスシートを３枚重ねたものである。
【００７９】
ビスマスなどの放射線遮蔽物との距離が０ｍｍの場合の図１８（Ａ）〜（Ｆ）を比較すると、いずれもＣＴ画像内にアーチファクトができている。ビスマスシートの厚さが２ｍｍ、３ｍｍ、多元素複合-含鉛シート（厚さ０．４ｍｍ）、多元素複合-無鉛シート（厚さ０．４ｍｍ）、多元素複合-無鉛シート（厚さ０．８ｍｍ）の場合、アーチファクトが大きい。
【００８０】
ビスマスなどの放射線遮蔽物との距離が１０ｍｍの場合の図１９（Ａ）〜（Ｆ）を比較すると、ビスマスシートの厚さが１ｍｍ、多元素複合-無鉛シート（厚さ０．４ｍｍ）には若干アーチファクトが現れている。ビスマスシートの厚さが２ｍｍ、３ｍｍ、多元素複合-含鉛シート（厚さ０．４ｍｍ）、多元素複合-無鉛シート（厚さ０．８ｍｍ）の場合、アーチファクトが大きい。
【００８１】
ビスマスなどの放射線遮蔽物との距離が２０ｍｍの場合の図２０（Ａ）〜（Ｆ）を比較すると、ビスマスシートの厚さが１ｍｍ、多元素複合-無鉛シート（厚さ０．４ｍｍ）にはアーチファクトがほとんどない。ビスマスシートの厚さが２ｍｍ、３ｍｍ、多元素複合-含鉛シート（厚さ０．４ｍｍ）、多元素複合-無鉛シート（厚さ０．８ｍｍ）には、アーチファクトが現れている。
【００８２】
ビスマスなどの放射線遮蔽物との距離が３０ｍｍの場合の図２１（Ａ）〜（Ｆ）を比較すると、ビスマスシートの厚さが１ｍｍ、多元素複合-無鉛シート（厚さ０．４ｍｍ）にはアーチファクトがほとんどない。ビスマスシートの厚さが２ｍｍと３ｍｍ、多元素複合-無鉛シート（厚さ０．８ｍｍ）、多元素複合-含鉛シート(厚さ０．４ｍｍ）には、アーチファクトが若干現れている。
【００８３】
図２２は、ビスマスなどの放射線遮蔽物との距離と３人の放射線診断専門医の視覚評価の平均点との関係を示すグラフである。図２２において、折れ線Ｌ１１はビスマスシート１枚の場合の視覚評価の平均点を表し、折れ線Ｌ１２はビスマスシート２枚の場合の視覚評価の平均点を表し、折れ線Ｌ１３はビスマスシート３枚の場合の視覚評価の平均点を表す。折れ線Ｌ１４は、多元素複合-含鉛シート（厚さ０．４ｍｍ）の場合の視覚評価の平均点を表し、折れ線Ｌ１５は、多元素複合-無鉛シート（厚さ０．４ｍｍ）の場合の視覚評価の平均点を表し、折れ線Ｌ１６は、多元素複合-無鉛シート（厚さ０．８ｍｍ）の場合の視覚評価の平均点を表す。
【００８４】
視覚評価の観点から比較すると、ビスマスシート１枚が最も好ましく、次に、多元素複合-無鉛シート（厚さ０．４ｍｍ）が次に好ましい。次に、ビスマスシート２枚か、多元素複合-含鉛シート（厚さ０．４ｍｍ）が好ましい。次に、ビスマスシート３枚か、多元素複合-無鉛シート（厚さ０．８ｍｍ）が好ましい。
多元素複合-含鉛シート（厚さ０．４ｍｍ）と多元素複合-無鉛シート（厚さ０．４ｍｍ）とを比較すると、多元素複合-無鉛シート（厚さ０．４ｍｍ）の方が、視覚評価が良いので、シートには、鉛が含まれていない方が好ましい。
【００８５】
図２３は、ビスマスなどの放射線遮蔽物との距離と被曝低減量との関係、及びビスマス距離と３人の放射線診断専門医の視覚評価の平均点との関係を示すグラフである。折れ線Ｌ２１は、多元素複合-無鉛シート（厚さ０．４ｍｍ）の場合の被曝低減量を表し、折れ線Ｌ２２はビスマスシート１枚の場合の被曝低減量を表し、折れ線Ｌ２３は、ビスマスシート１枚の場合の視覚評価の平均点を表し、折れ線Ｌ２４は、多元素複合-無鉛シート（厚さ０．４ｍｍ）の場合の視覚評価の平均点を表す。
【００８６】
ビスマスシート１枚と多元素複合-無鉛シート（厚さ０．４ｍｍ）とを同じ測定距離で比べると、被曝低減量は多元素複合―無鉛シートがよいが、視覚評価ではビスマスシート１枚がよいので、診断に対するアーチファクトの影響を考えると、ビスマスが含まれていることが望ましい。
【００８７】
図２４は、頭の横断面を楕円で近似したときの模式図と頭部ＣＴ検査用ゴーグルの横断面の概略図である。図２４において、頭部ＣＴ検査用ゴーグルのうち、カバー１３とカバー１３の表面に貼られたビスマスシート１３ｂが示されている。図２４に示すように長径をａ、短径をｂと定義し、ビスマスシートの一端までの正中からの距離（幅）をｗと定義する。長軸から垂直にｗ離れた楕円状の点Ｐから楕円の中心までの直線と長軸とがなす角度をθとする。
【００８８】
ＣＴの実測データに基づき回帰分析から求めた頭の長径ａ［mm］と短径ｂ[mm]の近似式は、次の式で表される。
【００８９】
a = 9.733×10-3×Age + 126.8
ｂ = 7.731×10-3×Age + 112.7
【００９０】
ここで、Ageは、生後からの日数である。例えば被験者が１５歳の誕生日の場合、生後からの日数は5475日であるので、頭の長径ａは180mm、短径ｂは140mmと推定される。
【００９１】
続いて、ビスマスシートの一端までの正中からの距離ｗは次の式で表される。
【００９２】
w=a×sin(t)
【００９３】
ここで、パラメータｔは次の式で表される。
【００９４】
t=arctan((b/a)tan(θ))
【００９５】
ビスマスシートの弦長ｄは、距離ｗの２倍であるから、次の式で表される。
【００９６】
ｄ=2×a×sin(t)
【００９７】
１５歳までの小児において、水晶体外縁は顔面正中から３５度までに位置するから、被験者が１５歳以下の小児の場合、本実施形態に係るビスマスシートまたはビスマスが含まれるカバーは、被験者の正中線を基準として少なくとも左右３５度以上に広がるように構成されていることが好ましいので、θは３５度に相当する０．６１ラジアン以上が好ましい。
【００９８】
すなわち、ビスマスシートまたはビスマスが含まれるカバーの湾曲に沿った幅を弧長とした場合に、頭の横断面を楕円で近似したときの長径をa、短径をbとしたときのビスマスシートまたはビスマスが含まれるカバーの弦長dは、d=2×a×sin(t)でt=arctan((b/a)tan(θ))と表され、θは少なくとも０．６１ラジアン以上であり、対象とする被験者の生後からの日数をAgeとすると、a = 9.733×10-3×Age + 126.8、ｂ = 7.731×10-3×Age + 112.7で表される。
【００９９】
ここで、頭の大きさは、１５歳以下の小児の場合、年齢とともに頭の大きさが大きくなるので、ビスマスシートまたはビスマスが含まれるカバーは、１５歳の水晶体外縁まで覆う幅があればよいから、１５歳時の推定の頭の長径180mm及び１５歳時の推定の頭の短径140mmを用いて、上記の数式の代わりにa=180mm、b=140mmとしてもよい。
【０１００】
また、１５歳までの小児において、眼窩外壁は顔面正中から４５度までに位置するから、被験者が１５歳以下の小児の場合、本実施形態に係るビスマスシートまたはビスマスが含まれるカバーは、被験者の正中線を基準として少なくとも左右４５度以上に広がるように構成されていることがより好ましいので、θは４５度に相当する０．７９ラジアン以上が好ましい。
【０１０１】
すなわち、ビスマスシートまたはビスマスが含まれるカバーの湾曲に沿った幅を弧長とした場合に、頭の横断面を楕円で近似したときの長径をa、短径をbとしたときのビスマスシートまたはビスマスが含まれるカバーの弦長dは、d=2×a×sin(t)でt=arctan((b/a)tan(θ))と表され、θは０．７９ラジアン以上であり、対象とする被験者の生後からの日数をAgeとすると、a = 9.733×10-3×Age + 126.8、ｂ = 7.731×10-3×Age + 112.7で表される。
【０１０２】
ここで、頭の大きさは、１５歳以下の小児の場合、年齢とともに頭の大きさが大きくなるので、ビスマスシートまたはビスマスが含まれるカバーは、１５歳の水晶体外縁まで覆う幅があればよいから、１５歳時の推定の頭の長径180mm及び１５歳時の推定の頭の短径140mmを用いて、上記の数式の代わりにa=180mm、b=140mmとしてもよい。
【０１０３】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【０１０４】
１  頭部ＣＴ検査用ゴーグル
１１  パッド
１２  フレーム
１３  カバー
１４  バンド
１５  ディスプレイ
１６  信号線
【図１】
2019055193.tif 000003
【図２】
2019055193.tif 000004
【図３】
2019055193.tif 000005
【図４】
2019055193.tif 000006
【図５】
2019055193.tif 000007
【図６】
2019055193.tif 000008
【図７】
2019055193.tif 000009
【図８】
2019055193.tif 000010
【図９】
2019055193.tif 000011
【図１０】
2019055193.tif 000012
【図１１】
2019055193.tif 000013
【図１２】
2019055193.tif 000014
【図１３】
2019055193.tif 000015
【図１４】
2019055193.tif 000016
【図１５】
2019055193.tif 000017
【図１６】
2019055193.tif 000018
【図１７】
2019055193.tif 000019
【図１８】
2019055193.tif 000020
【図１９】
2019055193.tif 000021
【図２０】
2019055193.tif 000022
【図２１】
2019055193.tif 000023
【図２２】
2019055193.tif 000024
【図２３】
2019055193.tif 000025
【図２４】
2019055193.tif 000026